(57)【要約】【課題】喫煙空間の天井に給排気ダクトを設置したり、このダクトを通して喫煙空間の空気を給排気するための給排気装置を設置したりすることが不要で、かつの喫煙空間の喫煙流が室外に漏れ出すのを防止することが可能な喫煙室構造を提供する。【解決手段】上端が室の天井と所望の距離をあけて立設され、その室を区画して喫煙空間を形成するための複数の仕切板と、前記各仕切板の上端と前記天井の間に配置され、傾動可能でかつ開閉可能な複数枚のスラットを有するブラインドと、前記喫煙空間の天井に前記ブラインド近傍に位置するように配置され、底面に吸込部、側面に吹出部を有する少なくとも１台の空気清浄機とを具備し、前記ブラインドの複数枚のスラットは、前記空気清浄機の作動時に水平方向に対して前記喫煙空間側に上向きに傾斜され、その傾斜角度（ε）が０°＜ε＜９０°であることを特徴とする。【選択図】    図１
2005147587.tif 000002
【特許請求の範囲】
【請求項１】
上端が室の天井と所望の距離をあけて立設され、その室を区画して喫煙空間を形成するための複数の仕切板と、
前記各仕切板の上端と前記天井の間に配置され、傾動可能でかつ開閉可能な複数枚のスラットを有するブラインドと、
前記喫煙空間の天井に前記ブラインド近傍に位置するように配置され、底面に吸込部、側面に吹出部を有する少なくとも１台の空気清浄機と
を具備し、
前記ブラインドの複数枚のスラットは、前記空気清浄機の作動時に水平方向に対して前記喫煙空間側に上向きに傾斜され、その傾斜角度（ε）が０°＜ε＜９０°であることを特徴とする喫煙室構造。
【請求項２】
前記ブラインドのスラットを自動的に巻上げ、巻降ろしするための自動巻上機と、前記喫煙空間の天井に設置され、その喫煙空間の温度を検知するための温度検知器とをさらに備え、前記温度検知器および前記喫煙空間外の室天井に設置された既設温度検知器からの温度検知情報に基づいて前記自動巻上機を動作させて前記ブラインドを開放させることを特徴とする請求項１記載の喫煙室構造。
【請求項３】
前記温度検知器および既設温度検知器からの温度検知情報に基づいて前記自動巻上機を動作させて前記ブラインドを開放させ、さらに前記喫煙空間外の室天井に設置された既設自動散水器を動作させて前記喫煙空間を含む所望の室に散水することを特徴とする請求項２記載の喫煙室構造。
【発明の詳細な説明】
【技術分野】
【０００１】
本発明は、喫煙室構造に関し、詳しくは事務室等に簡易に設置可能な喫煙室構造に係わる。
【背景技術】
【０００２】
最近、喫煙者の喫煙による非喫煙者への副流煙による保護が叫ばれている。このような非喫煙者の保護の観点から、喫煙室構造が見直され、「職場における喫煙対策のためのガイドライン」（平成１５年５月９日厚生労働省発表）により喫煙室構造の改正がなされている。この改正による喫煙室構造の特徴は、１）喫煙気流の漏れ出しを防ぐために密閉空間にすること、２）密閉室（喫煙空間）内の天井に外気と連通する給排気ダクトを含む給排気装置を設けること、等が義務付けられている。
【０００３】
しかしながら、このような喫煙室構造は設置工事費が高くなり、かつ設置場所の制約も受けるという問題があった。
【発明の開示】
【発明が解決しようとする課題】
【０００４】
本発明は、喫煙空間の天井に給排気ダクトを含む給排気装置を設置することが不要で、かつの喫煙空間の喫煙気流が室外に漏れ出すのを防止することが可能な喫煙室構造を提供しようとするものである。
【課題を解決するための手段】
【０００５】
本発明の一態様によると、上端が室の天井と所望の距離をあけて立設され、その室を区画して喫煙空間を形成するための複数の仕切板と、
前記各仕切板の上端と前記天井の間に配置され、傾動可能でかつ開閉可能な複数枚のスラットを有するブラインドと、
前記喫煙空間の天井に前記ブラインド近傍に位置するように配置され、底面に吸込部、側面に吹出部を有する少なくとも１台の空気清浄機と
を具備し、
前記ブラインドの複数枚のスラットは、前記空気清浄機の作動時に水平方向に対して前記喫煙空間側に上向きに傾斜され、その傾斜角度（ε）が０°＜ε＜９０°であることを特徴とする喫煙室構造が提供される。
【発明を実施するための最良の形態】
【０００６】
以下、本発明の実施形態を図面を参照して詳細に説明する。
【０００７】
（第１実施形態）
図１は、この第１実施形態に係る喫煙室構造を示す斜視図、図２は図１のII−II線に沿う断面図、図３は図１のIII−III線に沿う断面図である。
【０００８】
例えば３枚の仕切板１1〜１3は、図１に示すように室（例えば事務室）の壁２にそれらの上端が天井３に対して所望の距離あけて立設され、これら仕切板１1〜１3と壁２により喫煙空間（喫煙室）４を形成している。すなわち、扉５が取り付けられた仕切板１1および仕切板１3は前記壁２に対して直角にそれぞれ立設され、残りの仕切板１2はこれらの仕切板１1，１3の端部側面に前記壁２と平行になるように立設されている。
【０００９】
前記各仕切板１1〜１3の上端と天井３の間には、それぞれブラインド６1〜６3が形成されている。なお、仕切板１1上端のブラインド６1は３つ、仕切板１2上端のブラインド６2は４つ、仕切板１3上端のブラインド６3は３つ、配置されている。これらブラインド６1〜６3は、傾動可能で、開閉可能な複数枚（例えば５枚）のスラット７から構成されている。これらのスラット７は、例えばアルミニウムのような金属の薄板または表面に塗料などが被覆された金属薄板から作られる。
【００１０】
自動巻上機８は、前記各ブラインド６1〜６3に対応して天井３の裏にそれぞれ設置され、前記各スラット７に捲回された吊上紐９を巻上、巻き下げすると共に、その吊上紐９により前記各スラット７の傾斜角を調節する。なお、前記各スラット７は後述する空気清浄機の作動時において図２、図３に示すように水平方向に対して前記喫煙室４側に上向きに傾斜され、その傾斜角度（ε）を０°＜ε＜９０°、より好ましくは３０°≦ε≦６０°に設定される。
【００１１】
少なくとも１台、例えば３台の天吊型空気清浄機１０1〜１０3は、図１に示すように前記喫煙室６の天井３に前記仕切板１1〜１3の近傍に位置するように設置されている。すなわち、１台目の空気清浄機１０1は、扉付き仕切板１1と仕切板１2が交わるコーナ部、２台目の空気清浄機１０2は仕切板１2と仕切板１3が交わるコーナ部、３台目の空気清浄機１０3は仕切板１3と壁２が交わるコーナ部に設置されている。
【００１２】
前記天吊型空気清浄機１０1〜１０3（例えば１０1）は、図２および図３に示すように前記喫煙室４の天井３に天板１１を介して取り付けられた逆四角錐台形状の筐体１２を備えている。この筐体１２は、底部に吸込みグリル１３を有し、かつ４枚の筐体側板１４で囲まれた構造を有する。対向する２枚の筐体側板１４には、複数の整流板１５がそれぞれ配置されている。
【００１３】
誘電フィルタ１６は、前記筐体１２内の下部付近に前記吸込みグリル１３と所望の距離をあけて対向するように配置さている。この誘電フィルタ１６は、交換等の目的で前記筐体側板１４の開閉窓（図示せず）を通して前記筐体１２に対して出し入れされる。前記誘電フィルタは例えば４つに分割、支持された金属メッシュ部（図示せず）を有する絶縁材料からなる下部枠体１７と、この下部枠体１７に図示しないヒンジ機構により開閉可能に取り付けられ、例えば４つに分割、支持された金属メッシュ部（図示せず）を有する絶縁材料からなる上部枠体１８とを備えている。電子フィルタエレメント１９は、これら枠体１７、１８内に収納されている。この電子フィルタエレメント１９は、導電層（例えば活性炭を担持したメッシュ板）２０を挟んで上下に合成樹脂製の不織布層２１ａ、２１ｂを積層した構造を有する。正電位が与えられる放電針（図示せず）は、このエレメント１９の上部不織布層２１ａおよび活性炭担持メッシュ板２０に差し込まれている。前記各枠体１７、１８の金属メッシュ部は、接地電位になっている。なお、前記放電針の先端に対応する前記下部の金属メッシュ部部分には、前記放電針と下部の金属メッシュ部との短絡的放電を回避するために絶縁材料からなる放電制御板（図示せず）が貼り付けられている。回転する送風機、例えばシロッコファン２２は、前記筐体１２内の前記天板１１に取り付けられている。
【００１４】
次に、前述した図１〜図３および図４を参照して本発明の第１実施形態に係る喫煙室構造の作用を説明する。図４は、喫煙気流のブラインド（例えば６2）近傍での流れ状態を示す断面図である。なお、説明の簡潔化のために３台の天吊型空気清浄機１０1〜１０3のうち、天吊型空気清浄機１０1を例にして動作の説明を行う。
【００１５】
各自動巻上機９を作動し、吊上紐９により仕切板１1〜１3上部のブラインド６1〜６3のうち、３台の天吊型空気清浄機１０1〜１０3に対向する箇所のブラインドを半開放状態にし、他の箇所のブラインドを閉鎖する。半開放状態のブラインド６1〜６3は、各スラット７を図２、図３に示すように水平方向に対して喫煙室４側に上向きに約４０°傾斜されている。
【００１６】
この状態で３台の天吊型空気清浄機１０1〜１０3における筐体１２内のシロッコファン２２を例えば反時計回り方向に回転させる。この時、喫煙室４内の喫煙気流は天吊型空気清浄機１０1における筐体１２の吸込みグリル１３を通して筐体１２内に吸い込まれ、誘電フィルタ１６を通過する。喫煙気流が誘電フィルタ１６を通過する際、正電圧、例えば数１０００Ｖの直流電圧を誘電フィルタ１６の図示しない放電針に印加して上下枠体１８，１７の接地された金属製メッシュ部（図示せず）との間で放電させてプラスイオンを発生させることにより、前記放電針が差し込まれた電子フィルタエレメント１９の活性炭担持メッシュ板２０と前記金属メッシュ部の間で誘電分極がなされ、前記喫煙気流中の粒状ダストをその電子フィルタエレメント１９に吸着して除去される。
【００１７】
前記誘電フィルタ１６を通過してダストが除去された空気流（ダストフリー空気流）は、前記シロッコファン２２の回転により前記誘電フィルタ１６上方の前記筐体１２内（気流回転空間）を上昇し、左右の整流板１５から室内に吹出される。この時、左側の整流板１５に対向するブラインド６2の各スラット７は図２に示すように水平方向に対して喫煙室４側に上向きに約４０°傾斜させた半開放状態になっているため、前記整流板１５から吹出されたダストフリー空気流、すなわち清浄な空気流はそのブラインド６2のスラット７間の隙間を通して事務室（室外）に流出する。
【００１８】
一方、前記喫煙室４内（室内）の空気の流出に伴う室内と室外との間の圧力差により、事務室内の適温に調節された清浄な空気は図２および図３に示すように前記ブラインド６2のスラット７間の隙間およびこのブラインド６2と同様に傾斜され、半開放状態であるブラインド６1のスラット７を通してそれぞれ室内に流入する。流入した清浄な空気は、喫煙気流と共に図２および図３に示すように天吊型空気清浄機１０1における筐体１２の吸込みグリル１３に吸い込まれ、前述したのと同様なダストの除去、清浄化がなされる。
【００１９】
また、前記喫煙室４で発生した喫煙直後の喫煙気流は比較的温度が高く、周囲の空気より軽いために上昇する。このような喫煙気流のブラインド（例えば６2）近傍での流れ状態を図４を参照して説明する。喫煙直後の比較的温度が高い喫煙気流は、矢印に示すようにブラインド６2のスラット７に付着するように沿って上昇し、喫煙室４の天井３付近で冷却される。
【００２０】
すなわち、喫煙気流は一般的に親油成分を含み、一方前記スラット７も一般に金属薄板または塗料被覆薄板からなり、親油性を有する。また、前記スラット７は前述のように水平方向に対して喫煙室４側に上向きに例えば約４０°傾斜させた形態になっている。その結果、前記喫煙気流は前記傾斜したスラット７に対して親和力を受けつつ付着するように上昇するため、室外に漏れ出すことなく喫煙室４の天井３付近に達して冷却される。
【００２１】
以上、本発明の第１実施形態によれば室内（喫煙室）４で発生した喫煙気流は例えば３台の天吊型空気清浄機１０1〜１０3で清浄化され、清浄化された空気流は喫煙室からブラインド６1〜６3のスラット７の隙間を通して室外（事務室）に流出され、室外の空調により適温に調節された清浄な空気はブラインド６1〜６3のスラット７の隙間を通して室内に流入し、室内と室外の空気流通を実現できる。つまり、前記ブラインド６1〜６3は室外の空気に対して給排気部材として機能する。したがって、室内の喫煙気流の清浄化に際し、室内へのダクトを含む給排気装置の設置を省略でき、かつ空調設備も小規模にすることができ、ランニングコストの低減と設備費の低廉を達成した喫煙室構造を提供できる。
【００２２】
（第２実施形態）
図５および図６は、この第２実施形態に係る喫煙室構造を示す断面図である。なお、図５および図６において前述した図１〜図３と同様な部材は同符号を付して説明を省略する。
【００２３】
この喫煙室構造は、喫煙室４内の天井３の所定部位に温度検知器２３が設置されている。この温度検知器２３は、ブラインド６2および図示しない他のブラインドに対応する自動巻上機８にそれぞれ接続され、その温度検知器２３で検知された温度が設定温度以上になるとそれらの自動巻上機８を作動させる信号が出力される。なお、前記喫煙室構造は前述した図１と同様に３台の天吊型空気清浄機（図示せず）が喫煙室４の天井に設置されている。
【００２４】
また、室外（事務室）の天井３の所定部位、例えばブラインド６2近傍の部位には温度検知器２４が設置されている。さらに、室外の天井３の所定部位には事務室の全ての領域に水が散布されるに必要な個数の自動散水器２５が設置されている。この自動散水器２５は、分散筒体２６およびこの分散筒体２６に挿入されたノズル２７とから構成されている。このノズル２７の後端には、給水管２８が連結され、この給水管２８の所定部位には電磁バルブ２９が介装されている。なお、前記温度検知器２４および自動散水器２５は消防法で設置が義務付けられた既設のものであるため、以後これらの部材を既設温度検知器２４および既設自動散水器２５と称する。
【００２５】
前記既設温度検知器２４は、ブラインド６2および図示しない他のブラインドに対応する前記自動巻上機８にそれぞれ接続され、この既設温度検知器２４で検知された温度が設定温度以上になるとそれらの自動巻上機８を作動させる信号が出力される。
【００２６】
前記温度検知器２３および既設温度検知器２４は、前記既設自動散水器２５の給水管２８に介装された電磁バルブ２９に接続され、これらの温度検知器２３および既設温度検知器２４で検知された温度が設定温度以上になるとその電磁バルブ２９を開動作させる信号が出力される。
【００２７】
このような構成の第２実施形態における喫煙室構造によれば、火災等により喫煙室４内の温度が異常に高くなると、その温度を喫煙室４内に設置した温度検知器２３および室外の既設温度検知器２４でそれぞれ検知し、これらの温度検知器２３，２４から各自動巻上機８を作動させる信号が出力される。各自動巻上機８が作動して吊上紐９を巻き上げると、図６に示すように仕切板１2および図示しない他の仕切板の上部に位置するブラインド６2および図示しない他のブラインドの各スラット７が天井３下で束ねられるため、ブラインド６2および図示しない他のブラインドが存在した空間を通して室内、室外が連通される。つまり、事務室は天井３から十分な距離離れた仕切板１2および図示しない他の仕切板で単に区画された一体的な空間になる。同時に、前記異常な温度を温度検知器２３および室外の既設温度検知器２４でそれぞれ検知し、これらの温度検知器２３，２４から給水管２８に介装された電磁バルブ２９を開動作させる信号が出力される。電磁バルブ２９の開動作により、給水管２８から水が自動散水器２５のノズル２７を通して分散筒体２６に噴射され、この分散筒体２６から事務室に散水される。この時、仕切板１2および図示しない他の仕切板の上部に位置するブラインド６2および図示しない他のブラインドが開放されているため、その開放空間を通して仕切板１2および図示しない他の仕切板で区画された喫煙空間として機能していた空間にも散水することが可能になる。
【００２８】
したがって、本発明の第２実施形態では火災等の不慮の事故に際し、温度検知器からの温度検出情報に基づいて自動巻上機を作動し、ブラインドを開放することによって、喫煙空間に自動散水器を新設せずに既設自動散水器を利用してその喫煙空間にも散水できる。その結果、低廉な設備で火災等の不慮の事故に対処することが可能な安全な喫煙室空間を実現できる。
【００２９】
なお、天吊型空気清浄機は喫煙気流中のダストを除去し得る構造であればよく、実施形態のような誘電フィルタを有する構造に限定されない。
【００３０】
また、前記実施形態では喫煙室内の天井に３台の天吊型空気清浄機を設置したが、これに限定されず喫煙室の容積に応じて増減することが可能である。
【産業上の利用可能性】
【００３１】
以上、本発明によれば喫煙空間の天井に給排気ダクトを含む給排気装置を設置することが不要で、かつの喫煙空間の喫煙気流が室外に漏れ出すのを防止することが可能で、事務室等に簡易に設置し得る低廉な喫煙室構造を提供できる。
【図面の簡単な説明】
【００３２】
【図１】本発明の第１実施形態に係る喫煙室構造を示す斜視図。
【図２】図１のII−II線に沿う断面図。
【図３】図１のIII−III線に沿う断面図。
【図４】喫煙気流のブラインド（例えば６2）近傍での流れ状態を示す断面図。
【図５】本発明の第２実施形態に係る喫煙室構造の要部断面図。
【図６】図５の喫煙室構造のブラインドを開放した状態を示す断面図。
【符号の説明】
【００３３】
１1〜１3…仕切板、３…天井、４…喫煙室、６1〜６3…ブラインド、７…スラット、８…自動巻上機、１０1〜１０3…天吊型空気清浄機、１２…筐体、１３…吸込みグリル、１５…整流板、１６…誘電フィルタ、２２…シロッコファン、２３…温度検知器、２４…既設温度検知器、２５…既設自動散水器。
【図１】
2005147587.tif 000003
【図２】
2005147587.tif 000004
【図３】
2005147587.tif 000005
【図４】
2005147587.tif 000006
【図５】
2005147587.tif 000007
【図６】
2005147587.tif 000008